(57)【特許請求の範囲】
【請求項１】
操作者が位置する側と対向する側に上方に突設して設けた支持体に光学的読取手段の少なくともその読取窓、キーボードおよび表示器を有する登録装置を設けるとともに、この登録装置の上流側に登録未済商品を載置する登録未済商品載置領域を設けたサッカー台と、前記サッカー台の前記未登録載置領域と並設して操作者側に配置して設けた精算装置とから構成され、顧客の買上げた商品の価格などの商品情報の登録および精算をする商品販売登録処理システムにおいて、前記サッカー台の前記登録装置の下流側近傍に収納袋を開口して掛ける袋掛け部材を設けた袋掛け領域を設けるとともに、前記サッカー台の下流側に登録済商品を包装する袋詰め台を配置したことを特徴とする商品販売登録処理システム。
【請求項２】
請求項１記載の発明において、袋掛け領域の少なくとも上部を覆う上面を平坦とした蓋体を設けたことを特徴とする商品販売登録処理システム。
【請求項３】
請求項１または請求項２記載の発明において、袋掛け部材を登録装置の読取窓の前面を通過させる商品の通過高さと略同一としたことを特徴とする商品販売登録処理システム。
【請求項４】
請求項１ないし請求項３記載の発明において、袋掛け領域の下流側に、袋詰め台方向に向かって下方に傾斜し、搬送面の上流側最上面を登録装置の読取窓の前面を通過させる商品の通過高さと略同一としたコンベアー装置を設けたことを特徴とする商品販売登録処理システム。
【請求項５】
操作者が位置する側と対向する側に上方に突設して設けた支持体に光学的読取手段の少なくともその読取窓、キーボードおよび表示器を有する登録装置を設けるとともに、この登録装置の上流側に登録未済商品を載置する登録未済商品載置領域を設けたサッカー台と、前記サッカー台の前記未登録載置領域と並設して操作者側に配置して設けた精算装置とから構成され、顧客の買上げた商品の価格などの商品情報の登録および精算をする商品販売登録処理システムにおいて、前記サッカー台の前記登録装置の下流側近傍に収納袋を開口して掛ける袋掛け部材を設けた袋掛け領域を設けたことを特徴とする商品販売登録処理システム。
【発明の詳細な説明】
【０００１】
【発明の属する技術分野】
この発明は、登録装置で顧客が買上げた各商品を登録し、精算装置で金銭の授受つまり精算を行う商品販売登録処理システムに関する。
【０００２】
【従来の技術】
従来、スーパーマーケットなどの大型つまり大規模の店舗等においては、精算場所（会計場所）における顧客の流れを円滑にして精算業務の効率化を図るために、チェッカー（売上登録をする係員）とキャッシャー（精算をする係員）の二人の係員によって登録業務と精算業務を行う二人制チェックアウトシステム（以下単に二人制システムという）と呼ばれる商品販売システムが採用されている。
【０００３】
このような二人制システムは、例えば、専ら顧客の買上げた商品の商品コードあるいは商品部門、販売金額、買上点数つまり販売点数等の商品情報を入力して登録する登録装置と、この登録装置で登録された販売商品の合計金額に対する金銭の授受をして会計をする精算業務を行う精算装置とから構成されている。
【０００４】
また、この二人制システムでは、精算をする顧客が少ない時間帯などでは、一人の係員が登録業務と精算業務をなす（以下一人制システムという）ようにも使用できるようになっている。
【０００５】
そして、前記従来の二人制システムにおける登録装置、精算装置等の配置構成は図６に示すように構成されている。
【０００６】
つまり、図６に示すように長尺状に形成されたサッカー台２００と、このサッカー台２００の長手方向略中央部のチェッカーＴが位置する側と対向する側の側縁部にレーザー光の走査によりバーコード化された商品の商品コード、商品部門等を読み取る読取手段２１１、バーコードが付されていない商品の商品コード、金額、販売点数等の商品情報を入力するキーボード２１２、表示器２１３等から構成された登録装置２１０と、前記サッカー台２００に設けた登録装置２１０の下流側でかつチェッカーＴ側に配置され、キャッシャーＫによって操作されるＰＯＳ端末装置等としての電子式キャッシュレジスター（以下電子レジスターという）等からなる精算装置２２０から構成されている。なお、前記登録装置２１０の表示器２１３と反対側つまり顧客側には客用表示器２１３ａが設けられている。
【０００７】
そして、前記サッカー台２００の前記読取手段２１１の上流側（図６の登録装置２１０の右側）は、顧客が買上げた商品あるいは商品を入れた篭（不図示）を載置する登録未済商品載置領域２１４となっており、また、登録装置２１０の下流側はチェッカーＴが、前記読取手段２１１あるいはキーボード２１２によって前記買上げたそれぞれの商品の商品コード、金額、販売点数等の商品情報を入力（以下この商品情報の入力を商品の登録ともいう）し、この登録済みの商品を再び入れる篭（不図示）が置かれる登録済商品載置領域２１５となっている。
【０００８】
また、前記電子レジスター２２０は従来周知の構成であり、筐体２２１の前側（キャッシャーＫ側）上面には、締めキー等の機能キー２２２ａ、商品のコード等が割り付けられた商品キー２２２ｂ、置数キー２２２ｃ等が設けられたキーボード２２２、合計金額、釣り銭額等を表示するキャッシャー用の表示器２２３、顧客用の表示器２２４、レシートを発行するレシート発行口２２５、現金を収納するドロワ２２６等が設けられている。
【０００９】
この電子レジスター２２０は、レジスター台２３０に載置されて前述したように、前記登録装置２１０の下流側にサッカー台２００と並設して配置されている。
【００１０】
そして、上記のように構成された従来の二人制システムにおいては、精算をする場合は、顧客Ｃは買上げた商品を入れた前記図示しない篭を前記登録未済商品載置領域２１４に置く。すると操作者であるチェッカーＴは、前記篭に入れられた各商品を一つずつ取り出して、前記読取手段２１１でバーコードを読み取らせることにより、あるいはキーボード２１２でこの商品の登録をし、登録済みとなった商品を前記登録済商品載置領域２１５に置いた図示しない篭内に入れる。
【００１１】
そして、チェッカーＴがすべての商品の登録を終了し、合計キー( 不図示) を操作すると、この登録された商品情報は、前記電子レジスター２２０に設けられた販売データファイル（不図示）に送られて格納される。
【００１２】
すべての商品の登録が済むと、顧客Ｃは支払つまり精算のために前記電子レジスター２２０の位置に移動する。顧客が電子レジスター２２０の所に移動してくると、操作者つまりキャッシャーＫは、前記キーボード２２２の所定のキーつまり精算処理をするためのキーを操作する。この操作により前記販売データファイルに格納されている商品情報に基いて合計額、消費税等が算出され、キャッシャーＫは顧客から預かった代金をキーボード２２２から入力し、締めキーを操作し釣り銭がある場合に釣り銭とともにレシートを渡し精算処理をするものである。
【００１３】
そして、顧客Ｃは精算が済むつまり代金の支払いが済むと、前記登録済商品の入った篭を、袋詰めをするために前記サッカー台２００とは別の場所に設けられている袋詰め台２４０のところに持って行き、顧客Ｃ自身で篭から商品を出して袋詰めをするものである。
【００１４】
なお、上記二人制システムでは、登録および精算業務が混雑しない状態では、キャッシャーＫが登録と精算を行う使い方つまり一人制とする場合は、前記電子レジスター２２０のみによって登録と精算を行うものであり、この場合は、顧客は買上げた商品を入れた篭を登録済商品載置領域２１５に置き、キャッシャーＫは、この登録済商品載置領域２２５に別の空の篭（不図示）を置き、電子レジスター２２０のキーボード２２２を操作して商品の登録をし、登録済みの商品を前記別の篭に入れる。
【００１５】
そして、同様に顧客Ｃは、精算が済むつまり代金の支払いが済むと前記登録済商品の入った篭を、袋詰めをするために前記袋詰め台２４０のところに持って行き、顧客自身で篭から商品を出して袋詰めをするものである。
【００１６】
このように、従来は買上げた商品の登録および精算が済んだ商品の袋詰めを顧客Ｃに強いるものであることから顧客へのサービスの低下を招くことなり、また、前記袋詰め台２４０の設置スペースは、袋詰め台２４０をサッカー台２００とは別の場所に独立して設置するものであり、この袋詰め台２４０の周囲にもスペースを要するため全体として広いスペースを必要とすることから店舗のスペースの有効利用が阻害されるものである。
【００１７】
【発明が解決しようとする課題】
このように従来の二人制システムまたは一人制システムとして使用する商品販売登録処理システムは、上記のように買上げた商品の袋詰め作業を顧客に強いることから顧客へのサービスの低下を招くという問題があり、また、前記袋詰め台２４０を設置するスペースを必要とすることから店舗のスペースの有効利用ができないという問題がある。
【００１８】
【課題を解決するための手段】
この発明はこのような事情に鑑みなされたもので、請求項１記載の発明は、操作者が位置する側と対向する側に上方に突設して設けた支持体に光学的読取手段の少なくともその読取窓、キーボードおよび表示器を有する登録装置を設けるとともに、この登録装置の上流側に登録未済商品を載置する登録未済商品載置領域を設けたサッカー台と、前記サッカー台の前記未登録載置領域と並設して操作者側に配置して設けた精算装置とから構成され、顧客の買上げた商品の価格などの商品情報の登録および精算をする商品販売登録処理システムにおいて、前記サッカー台の前記登録装置の下流側近傍に収納袋を開口して掛ける袋掛け部材を設けた袋掛け領域を設けるとともに、前記サッカー台の下流側に登録済商品を包装する袋詰め台を配置した商品販売登録処理システムとしたものである。
【００１９】
このように請求項１記載の発明は、操作者が位置する側と対向する側に上方に突設して設けた支持体に光学的読取手段の少なくともその読取窓、キーボードおよび表示器を有する登録装置を設けるとともに、この登録装置の上流側に登録未済商品を載置する登録未済商品載置領域を設けたサッカー台と、前記サッカー台の前記未登録載置領域と並設して操作者側に配置して設けた精算装置とから構成され、顧客の買上げた商品の価格などの商品情報の登録および精算をする商品販売登録処理システムにおいて、前記サッカー台の前記登録装置の下流側近傍に収納用袋を開口して掛ける袋掛け部材を設けた袋掛け領域を設けるとともに、前記サッカー台の下流側に登録済商品を包装する袋詰め台を配置したことから、顧客の袋詰め作業をなくすことができるためサービスの向上が図れるとともに、収納袋は登録装置の下流側近傍に開口して配置されているため、登録を行う操作者の、登録処理動作と袋詰め動作を連続した一連の動作の中できることから登録操作と袋詰め操作を容易とするとともに、登録操作と袋詰め操作の能率を向上させるという作用を有するものである。また、袋詰め台はサッカー台の下流に接近して配置されていることから設置スペースを小さくできるという作用を有するものである。
【００２０】
また、請求項２記載の発明は、請求項１記載の発明において、袋掛け領域の少なくとも上部を覆う上面を平坦とした蓋体を設けた商品販売登録処理システムとしたものである。
【００２１】
このように請求項２記載の発明は、請求項1 記載の発明において、袋掛け領域の少なくとも上部を覆う上面を平坦とした蓋体を設けたことから、請求項１記載の発明の作用に加えて、登録および精算処理をする操作者と商品の袋詰めをする作業者とで作業をする場合、前記袋掛け領域蓋体で覆うとともにこの蓋体の上面を商品の載置領域として機能することから、登録および精算処理した商品を置く領域を広くできる、登録処理作業および袋詰め作業を容易にできるという作用を有するものである。
【００２２】
また、請求項３記載の発明は、請求項１または請求項２記載の発明において、袋掛け部材を登録装置の読取窓の前面を通過させる商品の通過高さと略同一とした商品販売登録処理システムとしたものである。
【００２３】
このように請求項３記載の発明は、請求項１または請求項２記載の発明において、袋掛け部材を登録装置の読取窓の前面を通過させる商品の通過高さと略同一としたことから、請求項１または請求項２記載の発明の作用に加えて、商品を登録する際に読取窓の前面下方側を通過させ、その高さ位置から下方に開口している収納袋に商品を入れることができることから、商品の収納袋への収納操作を容易とするとともに操作者の腕などの疲労を低減させることができるという作用を有するものである。
【００２４】
また、請求項４記載の発明は、請求項１ないし請求項３記載の発明において、袋掛け領域の下流側に、袋詰め台方向に向かって下方に傾斜し、搬送面の上流側最上面を登録装置の読取窓の前面を通過させる商品の通過高さと略同一としたコンベアー装置を設けた商品販売登録処理システムとしたものである。
【００２５】
このように請求項４記載の発明は、請求項１ないし請求項３記載の発明において、袋掛け領域の下流側に、袋詰め台方向に向かって下方に傾斜し、搬送面の上流側最上面を登録装置の読取窓の前面を通過させる商品の通過高さと略同一としたローラコンベアー装置を設けたことから、請求項１ないし請求項３記載の発明の作用に加えて、登録および精算処理をする操作者と、商品の袋詰めをする作業者とで作業をする場合、操作者の登録商品のコンベアー装置の上流側搬送面への載置を容易とすることができるという作用を有するものである。
【００２６】
また、請求項５記載の発明は、操作者が位置する側と対向する側に上方に突設して設けた支持体に光学的読取手段の少なくともその読取窓、キーボードおよび表示器を有する登録装置を設けるとともに、この登録装置の上流側に登録未済商品を載置する登録未済商品載置領域を設けたサッカー台と、前記サッカー台の前記未登録載置領域と並設して操作者側に配置して設けた精算装置とから構成され、顧客の買上げた商品の価格などの商品情報の登録および精算をする商品販売登録処理システムにおいて、前記サッカー台の前記登録装置の下流側近傍に収納袋を開口して掛ける袋掛け部材を設けた袋掛け領域を設けた商品販売登録処理システムとしたものである。
【００２７】
このように請求項５記載の発明は、操作者が位置する側と対向する側に上方に突設して設けた支持体に光学的読取手段の少なくともその読取窓、キーボードおよび表示器を有する登録装置を設けるとともに、この登録装置の上流側に登録未済商品を載置する登録未済商品載置領域を設けたサッカー台と、前記サッカー台の前記未登録載置領域と並設して操作者側に配置して設けた精算装置とから構成され、顧客の買上げた商品の価格などの商品情報の登録および精算をする商品販売登録処理システムにおいて、前記サッカー台の前記登録装置の下流側近傍に収納袋を開口して掛ける袋掛け部材を設けたことから、顧客の袋詰め作業をなくすことができるためサービスの向上が図れるとともに、収納袋は登録装置の下流側近傍に開口して配置されているため、登録を行う操作者の、登録処理動作と袋詰め動作を連続した一連の動作の中できることから登録操作と袋詰め操作を容易とするとともに、登録操作と袋詰め操作の能率を向上させるという作用を有するものである。また、袋詰め台を必要としないことから設置スペースを小さくできるという作用を有するものである。
【００２８】
【発明の実施の形態】
つぎに、この発明の実施の形態を図１ないし図５に基いて説明する。
【００２９】
図１および図２は、この商品販売登録処理システム（以下単に登録システムという）１の全体を示す図で、図１は平面図であり図２は操作者側からみた側面図である。また、図３および図４はサッカー台１０と袋詰め台６０を配置した状態を示す斜視図であり、図３は袋掛け領域７０を蓋体７５で覆った状態を示す図であり、図４は袋掛け領域を開放した状態を示す図である。
【００３０】
そして、この登録システムは図１、図２に示すように、登録装置２０およびコンベアー装置としてのローラコンベアー装置３０が設けられたサッカー台１０、精算装置載置台であるレジスター台４０に載置された精算装置である電子レジスター５０および袋詰め台６０などから構成されている。
【００３１】
そして、前記サッカー台１０は、長尺状とした机状に形成され第一の台１１と同じく長尺状とした机状に形成された第二の台１５とから構成されている。そして、前記第一の台１１の操作者Ｔ側は図３、図４に示すように開放された備品などを収納する収納部１２ａないし１２ｄが形成されている。
【００３２】
また、前記第一の台１１の登録する際の商品の移動方向下流側つまり図１ないし図４において左側端部には、操作者Ｔが位置する側と反対側つまり操作者Ｔが位置する側と対向する側（以下顧客Ｃ側ともいう）の側縁部に上方に突出させて支持体２１が設けられており、また、第一の台１１の登録する際の商品の移動方向上流側つまり図１ないし図４において右側は、顧客が買上げた商品つまり未登録商品あるいはこれら未登録商品を入れた篭８０（図１参照）を載置する登録未済商品載置領域１３となっている。
【００３３】
また、前記第二の台１５は、開閉扉１６ａないし１６ｃが設けられた収納部が設けられており、また、上流側には奥行き方向（長手方向と直交する方向）中間から顧客Ｃ側の領域には、載置台１７が形成されている。そして、この載置台１７の上面は商品を一時的に載置する載置領域として機能させるものであり、そして、載置台１７の上面の高さは、後述する光学的読取装置の読取窓２５の前面を商品の商品コード（商品名等と対応）などの商品情報を読み取らせる際に、操作者Ｔが移動させる際の商品が通過する位置つまり前記第一の台１１の上面からの高さと略同じ高さないしは低く設定されているものである。このことによって操作者Ｔが登録の際に、商品を前記読取窓２５の前面を通過させて、この商品を前記載置台１７に置くときに前記通過させる位置から上方に商品を持ち上げる必要がないことから、腕部などの疲労を低減できるものである。
【００３４】
また、前記載置台１７の操作者Ｔと対向する側壁１７ａ（図４参照）の上部には、互いに離間するとともに、操作者側に向けて突出させて一対の袋掛け部材７１ａおよび７１ｂが形成されており、この一対の袋掛け部材７１ａおよび７１ｂは登録が済んだ商品（以下登録済商品という）を収納する収納袋８１を図４に二点鎖線で示すように開口８１ａとした状態で掛けて置くものである。
【００３５】
そして、前記収納袋８１を配置される空間領域は袋掛け領域７０を構成しているものである。
【００３６】
また、前記一対の袋掛け部材７１ａおよび７１ｂの高さ位置は、前記載置台１７の上面の高さと同様に、後述する光学的読取装置の読取窓２５の前面を商品の商品コード（商品名等と対応）などの商品情報を読み取らせる際に、操作者Ｔが移動させる際の商品が通過する位置つまり前記第一の台１１の上面からの高さと略同じ高さないしは低く設定されており、操作者が登録の際に、商品を前記読取窓２５の前面を通過させ、この商品を前記収納袋８１の開口８１ａから入れる際に、その商品をそのまま下方に位置する開口８１ａを介して収納袋８１に入れることができるため、収納つまり袋詰め操作を容易とするとともに操作者Ｔの腕などの疲労を低減させることができるものである。
【００３７】
また、前記載置台１７の側壁１７ａには前記袋掛け部材７１ａおよび７１ｂの中間位置に前記折りたたまれた状態の収納袋８１を掛けておくフック７１ｃが設けられており、このフック７１ｃに掛けられた収納袋８１を一枚ずつ外して口を開けて前記袋掛け部材７１ａおよび７１ｂに掛けるものである。
【００３８】
また、前記第二の台１５の下流側には、図３および図４に示すように後に詳述するローラコンベアー装置３０が配置されており、このローラコンベアー装置３０の筐体３１の一方、つまり操作者Ｔ側の側板３２の上流側端部には、前記袋掛け領域７０を覆う蓋体７５が取り付けられている。
【００３９】
この蓋体７５は図５に示すように前面板７５ａ、上面板７５ｂおよび側面板７５ｃとから構成され、前面板７５ａと前記側板３２とは一対のヒンジ７６ａによって矢印ａ方向に回転可能に結合され、また、前面板７５ａの上縁部と上面板７５ｂの前側縁部とは一対のヒンジ７６ｂによって矢印ｂ方向に回転可能に結合され、また、前面板７５ａの側縁部と側面板７５ｃ前側縁部は一対のヒンジ７６ｃによって矢印ｃ方向に回転可能に結合されている。
【００４０】
そして、前面板７５ａ、上面板７５ｂおよび側面板７５ｃをそれぞれ開いた状態（以下この状態を使用状態という）では、図３に示すように前記袋掛け領域７０の前面、上面および側面の三面つまり袋掛け領域７０を覆い、その内部に前記袋掛け部材７１ａおよび７１ｂは収納されるものである。また、前面板７５ａに対して上面板７５ｂおよび側面板７５ｃを折りたたみ、前面板７５ａを側板３２に回動させて密着させたときは、前面板７５ａ、上面板７５ｂおよび側面板７５ｃは、図４に示すように側板３２と平行にして位置するようになっている（以下この状態を収納状態という）。なお、収納した状態では側面板７５ｃは、前面板７５ａと上面板７５ｂとの間に位置するようになっている。
【００４１】
そして、前記蓋体７５を使用状態とした場合における前記上面板７５ｂの上面は、前記載置台１７の上面と面一となるように設定され、この上面板７５ｂは載置台１７と同様登録済商品を載置する台として機能するものである。
【００４２】
また、蓋体７５の使用状態における前記上面板７５ｂの上面の高さ位置は、前記載置台１７の上面と同様に、後述する光学的読取装置の読取窓２５の前面を商品の商品コードなどの商品情報を読み取らせる際に、操作者Ｔが移動させる際の商品が通過する位置、つまり前記第一の台１１の上面からの高さと略同じ高さないしは低く設定されているものである。このことによって操作者が登録の際に、商品を前記読取窓２５の前面を通過させてこの商品を前記上面板７５ｂに置くときに、前記通過させる位置から上方に商品を持ち上げる必要がないことから、腕部などの疲労を低減できるものである。
【００４３】
この蓋体７５を使用状態とするのは、操作者が登録を済ませた後、この登録済商品を袋詰め作業者（以下作業者という）Ｗが袋詰めを行う、つまり登録および精算処理操作と袋詰め作業を、操作者Ｔと作業者Ｗの二人で分担してなす場合になされるものである。また、蓋体７５を収納状態とするのは、登録および精算処理操作と袋詰め作業を操作者Ｔが一人で行う場合になされるものである。つまり、操作者Ｔは、商品の登録をした後この登録商品を袋掛け部材７１ａおよび７１ｂに収納袋８１を掛けてつまり吊下げ、商品を登録した後この登録済商品を入れることにより、登録および袋詰めを行うとともに、精算処理を行うものである。なお、登録、精算処理、袋詰めを行う操作を以降チェックアウト処理という。
【００４４】
つぎに、前記ローラコンベアー装置３０は、上記したように筐体３１と搬送手段３７とから構成されており、前記筐体３１は、前記一方側（操作者Ｔ側）の側板３２、他方側の側板３３、下流側つまり後に詳述する前記袋詰め台６０側に位置する前面板３４、上流側つまり後に詳述する前記登録装置２０側に位置する後面板３５および下流側の一部に設けられた底板３６とから構成されている。なお、前記底板３６の上部は前記搬送手段３７から搬送された商品を収納する収納部３９となっているものである。
【００４５】
そして、前記筐体３１の前記側板３２と側板３３との間には、袋詰め台６０方向に向かって下方に傾斜する多数のコロ状のローラ３８から構成された前記搬送手段３７が配置されており、この搬送手段部３７の上面つまり搬送面の上流側の最上面は、前記載置台１７の上面および蓋体７５の上面板７５ｂの上面と略同一の高さとなるように設定されいる。
【００４６】
つまり、登録装置２０の読取窓２５の前面を通過させる商品の通過高さと略同一に設定されているものである。このことによって、載置台１７および蓋体７５の上面板７５ｂの上に載せられた商品を前記搬送手段３７に載置することが容易、つまり商品を持ち上げる必要なく載置できるものである。なお、載置された商品は搬送手段３７によって下方に自動的に搬送され前記収納部３９に収納される。
【００４７】
つぎに、前記袋詰め台６０について説明する。
【００４８】
この袋詰め台６０は図３、図４に示すように、上面を袋詰めをする作業台面６１とし、内部には作業者側を開放した収納部６２が形成されている。また、前記作業台面６１の作業者と反対側の側縁部には一対の袋掛け部材６３ａおよび６３ｂが離間して立設されており、この袋掛け部材６３ａおよび６３ｂには、前記袋掛け部材７１ａおよび７１ｂと同様に、収納袋（不図示）を開口して掛けて置くものである。また、前記袋詰め台６０には前記ローラコンベアー装置３０の前面板３４側に突出さて形成されて作業台６４が設けられている。この作業台６４においても前記ローラコンベアー装置３０の底板３６に搬送された商品の袋詰めをするものである。
【００４９】
また、前記袋詰め台６０の下部にはキャスター６５が設けられており、操作者が一人で登録、精算処理をする際等、袋詰め台６０を使用しない場合は他の場所に移動して片づけることができるようになっている。
【００５０】
つぎに、前記サッカー台１１の第一の台に設けられた登録装置２０に着いて説明する。
【００５１】
この登録装置２０は、従来この種の商品販売登録処理システムに使用されているものと同様に構成されているものである。つまり、図２ないし図４に示すように角筒状からなり内部を収納空間とした支持体２１、この支持体２１の前記収納空間に収納された、図示しない光学的バーコード読取装置（以下スキャナーという）、支持体２１の上部に設けられたキーボード２２、このキーボード２２の側方に設けられた操作者Ｔ用の表示器２３等から構成されている。また、この表示器２３の背面側には、顧客用の表示器２３ａ（図１参照）が設けられている。
【００５２】
そして、前記支持体２１の下方部を図示しない取付ボルト等によって前記第一の台１１に取り付けられているものである。
【００５３】
なお、前記光学的バーコード読取装置は、レーザー光を出射するレーザー発生装置（半導体レーザー発信器等）、ポリゴンミラー等からなり商品に付されたバーコードシンボル（以下バーコードという）を走査つまりスキャニングする走査手段、前記バーコードの走査の際に照射されたレーザー光の反射光を受光する受光素子、この受光素子で受光された光の強さ（光量）を電気信号に変換する光電変換手段、この光電変換手段で変換された電気信号により前記バーコード情報つまりこの実施の形態の場合は商品の種類（商品コード、商品部門）に変換する変換回路等から構成されているものである。
【００５４】
また、前記支持体２１には、操作者Ｔ側と対向する面に出射および反射するレーザー光を通過させる窓すなわち読取窓２５が設けられており、この読取窓２５から前記レーザー光が反射ミラーによって斜め下方に向けてつまり前記第一の台１１の上方空間でかつ登録未済商品載置領域１３と載置台１７および袋掛け領域７０との間の領域に向けて出射されるようになっている。
【００５５】
また、前記キーボード２２には、符号を付していないが各商品コード（あるいは商品部門）が割り付けられた多数の商品キー、販売点数あるいは商品コード等の数字情報を入力する置数キー、登録の終了情報を入力する合計キーおよび訂正キー等登録用の各種キーが配設されている。
【００５６】
また、前記登録装置２０には図示しないが、ＣＰＵ（中央処理装置）、ＲＯＭ（リード・オンリー・メモリー）、ＲＡＭ（ランダム・アクセス・メモリー）および電子レジスター５０と各種データの送受信をするＩ／Ｏポート等が設けられている。
【００５７】
そして、前記ＲＡＭには、図示しない登録された商品情報（商品部門コード、商品コード、金額、販売点数等）を格納する登録データファイルが設けられており、顧客の購入した商品の商品情報が、前記登録装置２０のスキャナーによってバーコードを読み取らせることにより、あるいはバーコードが付されていない商品の場合は前記商品コード・販売点数を置数キーから入力されることにより登録されると、これら登録された商品情報は前記登録データファイルに格納され、すべての商品の登録が終了し前記合計キーが操作されると、これら商品情報はつぎに詳述する電子レジスター５０に送信されるようになっている。
【００５８】
つぎに、前記精算装置としての前記電子レジスター５０について説明する。
【００５９】
この電子レジスター５０は、従来周知のＰＯＳ端末装置として使用されているいわゆる端末装置と同様な構成となっているものである。
【００６０】
つまり、この電子レジスター５０は図１、図２に示すように、筐体５１の前面には、商品コード（あるいは販売部門）が割り付けられた多数の商品キー（あるいは部門キー）５２ａ、販売点数あるいは商品コード等数字情報を入力する置数キー５２ｂ、精算をする締めキー・訂正キー等の各種ファンクションキー５２ｃ等が配設されたキーボード５２が設けられており、また、キーボード５２の近傍には登録・点検等の各業務を設定する業務設定キー５２ｄが設けられている。
【００６１】
また、キーボード５２の後部に位置してキャッシャー用の表示器５３が、また、この表示器５３の後方には、表示面の向きを可変とした顧客用の表示器５４が設けられている。
【００６２】
また、前記キーボード５２の左側にはレシート発行口５５が設けられており、また、筐体５１の下部には前方に向けて引き出し可能な現金を収納する図示しないドロワが設けられている。
【００６３】
そして、前記電子レジスター５０には図示しないが内部に、各種制御・演算処理などを行うＣＰＵ、各種制御プログラムが格納されたＲＯＭ、各種データを格納するＲＡＭ、前記業務設定キー５２ｄからのキー信号を取り込むＩ／Ｏポート、前記キーボード５２からのキー信号を取り込むキーボードコントローラー、レシートに販売情報を印字するプリンターを駆動する駆動回路に印字データを送出するＩ／Ｏポート、前記ドロワを開放させるドロワ開放装置に開放信号を送出するＩ／Ｏポート、時計回路、前記登録装置２０との各種データーの送受信をするＩ／Ｏポート等から構成される制御回路、ホストコンピュータと各種データの送受信を行う通信インターフェース等が設けられている。
【００６４】
また、前記ＲＡＭには、図示しないが前記登録装置２０から送信されてきた前記商品情報を格納する商品情報ファイル、販売された各商品の部門別、商品別等に分類して販売データを格納する販売データファイル、商品コードとこの商品コードに対応して商品名、金額、部門などを格納したＰＬＵファイル、合計キーの操作に伴って前記商品情報ファイルの内容（商品コード、金額、販売点数等）およびＰＬＵファイルに基づいて算出された合計額、消費税額等、顧客からの預かり金額を入力され締めキーの操作に伴って算出された釣り銭額等を格納するバッファー等が設けられている。
【００６５】
そして、このように構成された前記電子レジスター５０は、図１、図２に示すようにキーボード５２を操作者Ｔ側に向けた状態として前記レジスター台４０に載置されるものである。
【００６６】
そして、登録装置２０が取付けられたサッカー台１０、電子レジスター５０が載置されたレジスター台４０および袋詰め台６０は、図１、図２に示すように関係付けられて配置されるものである。つまり、サッカー台１０は、登録装置２０が取付けられている側つまり操作者Ｔが位置する側と反対側を顧客の通路側として位置決めして配置し、また、前記電子レジスター５０を載置したレジスター台４０を、前記サッカー台１０の未登録未済商品載置領域１３の内側に近接させて並べて位置決めして配置し、また、袋詰め台６０をサッカー台１０つまりローラコンベアー装置３０が載置された第二の台１５の下流側端部に近接させて位置決めして配置されるものである。
【００６７】
つぎに、上記のように構成された登録システム１における登録・精算および袋詰めを行う際の動作つまりチェックアウト処理の動作について説明する。
【００６８】
まず、二人つまり登録および精算業務を行う操作者Ｔと、袋詰め作業をする作業者Ｗとでチェックアウト処理する場合の動作について説明する。
【００６９】
この場合は、前記蓋体７５は使用状態つまり袋掛け領域７０を覆った状態とし、また、登録装置２０の近傍位置に操作者Ｔが位置し、袋付け台６０に対面した位置に作業者Ｗが位置しているものである。また、この場合は操作者Ｔは登録処理と精算処理を行うものであることから、登録処理をする場合は登録装置２０と対面した位置に位置し、精算処理をする場合は電子レジスター５０と対面した位置に位置するものである。
【００７０】
操作者Ｔは上記登録装置２０の近傍位置に位置して待機している状態で、顧客が購入した商品の代金の支払いつまり精算をするため、購入した商品を入れた篭８０を前記登録未済商品載置領域１３に置く。
【００７１】
すると、操作者Ｔは前記篭８０から、商品を右手で一つずつ取り出して前記スキャナーによってバーコードを読みとらせる。つまり、右手で持った商品をこの商品に付されたバーコードを前記読取窓２５に向けながら読取窓２５の下方側を通過させ、読み取られたことが読み取り完了音などによって確認されたときは、今度は商品を左手に持ち替えて左手をそのまま下流側に移動させ、その商品を前記載置台１７の上面または蓋体７５の上面板７５ｂの上面に載置するかあるいは直接ローラコンベアー装置３０の搬送手段３７の上に載置する。
【００７２】
そして、前記載置台１７の上面、蓋体７５の上面板７５ｂの上面の高さおよび搬送手段３７に上流側搬送面は、前記商品の登録処理の際に、右手および左手で商品を移動させる高さと略同じか、または低く設定されていることから、操作者Ｔの登録商品の載置台１７または蓋体７５の上面板７５ｂの上面に載置することおよび直接ローラコンベアー装置３０の搬送手段３７の上流側搬送面に置く際に、商品を上下方向に移動させる必要がないため、載置が容易であるとともに上方に持ち上げることによる腕部などの疲労を低減できるものである。
【００７３】
なお、商品にバーコードが付されていないかまたはバーコードが汚れるなどして読み取れないときは、前記キーボード２２によって商品情報を入力するものである。
【００７４】
また、前記登録装置２０によって読み取られた商品情報は、前記電子レジスター５０に送られる。そして、操作者Ｔは登処理が終わると電子レジスターと対向する位置に移動し（なお、この移動は登録装置２０と電子レジスター５０とがＬ字状に配置されていることと両者が近接していることから向きを変える程度である）前記キーボード５２の所要のキーを操作して精算処理操作をする。この処理操作がされることにより電子レジスター５０は、顧客の買上げた商品の合計額および消費税額を算出し、これらは表示器５３、５４に表示され、この表示に基いて操作者Ｔは顧客から代金を預かり、この金額を入力して締めキーを操作すると、釣銭が計算され同様に表示器５３、５４に表示される。そして、釣銭を商品名、価格、釣銭額等が印字されて発行されたレシートとともに顧客に渡すことにより精算業務は終了する。
【００７５】
一方、作業者Ｗは操作者Ｔが精算処理をしている間に、前記袋詰め台６０において前記登録処理された商品の袋詰めを行っており、前記精算処の終了と略同時に袋詰めは終了している。したがって、精算が終わると同時に顧客Ｃは前記袋詰めされた商品を受け取ることができるものである。
【００７６】
このことによって顧客Ｃへのサービスの向上が図れるとともに、チェックアウト処理の効率化が図れるものである。また、上記したように操作者Ｔは登録処理操作が容易にできるとともに、この操作の際の疲労の低減が図れるものである。
【００７７】
つぎに、操作者Ｔが一人でチェックアウト処理つまり登録処理、精算処理および袋詰めを行う場合について説明する。この場合は前記蓋体７５を収納状態とし、袋掛け領域７０を開放するとともに、袋掛け部材７１ａおよび７１ｂに図４に示すように収納袋８１をその開口８１ａを開けて掛けるつまり吊下げる。なお、この収納袋８１を袋掛け部材７１ａおよび７１ｂへの吊下げは、直前の顧客のチェックアウト処理が終わった後、あるいは、つぎの顧客の登録処理を開始するときに予めなしておくものである。
【００７８】
また、操作者Ｔは、登録装置２０の近傍に位置して待機するものである。
【００７９】
そして、操作者Ｔは前記位置に位置して待機している状態で、顧客が購入した商品の代金の精算をするため、購入した商品を入れた篭８０を前記登録未済商品載置領域１３に置く。
【００８０】
すると、操作者Ｔは前記篭８０から、商品を右手で一つずつ取り出して前記スキャナーによってバーコードを読みとらせる。つまり上記した場合と同様、右手で持った商品をこの商品に付されたバーコードを前記読取窓２５に向けながら読取窓２５の下方側を通過させ、読み取られたことが読み取り完了音などによって確認されたときは、今度は商品を左手に持ち替えて左手をそのまま下流側に移動させ、その商品を前記袋掛け部材７１ａ、７１ｂの口を開けて掛けられた収納袋８１に入れる。
【００８１】
そして、前記袋掛け部材７１ａ、７１ｂの高さは、前記商品の登録処理の際に、右手および左手で商品を移動させる高さと略同じか、または低く設定されているため、収納袋８１の開口８１ａはこれよりも更に下方に位置していることから、操作者Ｔは登録商品を収納袋８１に容易に入れることができるものである。したがって、袋詰めの際に商品を上方に持ち上げる必要がなく腕部などの疲労を低減できるものである。
【００８２】
また、登録処理操作と袋詰め作業とは一連の動作の中でなされることから、登録処理操作と袋詰め作業の効率を向上させることができ、惹いてはチェックアウト処理の効率を向上させることができるものである。
【００８３】
そして、上記二人での処理の場合と同様に、前記登録装置２０によって読み取られた商品情報は、前記電子レジスター５０に送られる。そして、操作者Ｔは登録処理が終わると電子レジスターと対向する位置に移動し、前記キーボード５２の所要のキーを操作をして精算処理操作をする。この処理操作がされることにより電子レジスター５０は、顧客の買上げた商品の合計額および消費税額を算出し、これらは表示器５３、５４に表示され、この表示に基いて操作者Ｔは顧客から代金を預かりこの金額を入力さて締めキーを操作すると、釣銭が計算され同様に表示器５３、５４に表示され、そして、釣銭を商品名、価格、釣銭額等が印字されて発行されたレシートとともに顧客Ｃに渡すことにより精算業務は終了する。
【００８４】
そして、精算処理が終わると、操作者Ｔは商品が収納された収納袋８１を前記袋掛け部材７１ａ、７１ｂから外して顧客Ｃに渡すものである。したがって、顧客Ｃは商品袋詰めをする必要はなく、顧客へのサービスの向上が図れるとともに、チェックアウト処理の効率化が図れるものである。また、上記したように操作者は登録処理操作と袋詰め作業を容易になすことができるとともに、この操作の際に腕などの疲労の低減が図れるものである。
【００８５】
このように、上記商品販売登録処理システムは、第一の台１１つまりサッカー台１０の操作者Ｔが位置する側と対向する側に上方に突設させ支持体２１を設け、この支持体２１に光学的読取手段の読取窓２５、キーボード２２および表示器２３を設け、また、前記サッカー台１０の前記支持体２１の下流側近傍に収納袋８１を開口して掛ける袋掛け部材７１ａ、７１ｂを設けた袋掛け領域７０を設けるとともに、前記サッカー台１０の下流側に登録済商品を包装する袋詰め台６０を配置したことから、顧客Ｃの袋詰め作業をなくしサービスの向上が図れるとともに、収納袋８１は登録装置２０の下流側近傍に開口して配置されているため、操作者Ｔが一人で登録処理操作と袋詰め作業とを行う場合、操作者Ｔの登録処理動作と袋詰め動作を連続つまり一連の動作の中でできることから登録操作と袋詰め操作を容易とするとともに、チェックアウト処理の効率を向上させることができるものである。
【００８６】
また、操作者Ｔと作業者Ｗの二人で、チェックアウト処理を分担して行う場合においても、顧客の袋詰め作業をなくしサービスの向上が図れるとともに、操作者Ｔは登録処理をした商品を袋詰め領域７０を覆っている蓋体７５の上面板７５ｂによって広くなっている載置面に載置できるため登録処理操作が容易つまりし易くなり、また、作業者Ｗは前記蓋体７５に載置された商品を、操作者Ｔが精算処理をしている間に袋詰め台６０において袋詰ができることからチェックアウト処理の効率よくできるものである。また、蓋体７５の上面板７５ｂによって載置面が広くなるため商品の載置は容易となるものである。また、袋詰め台６０は第二の台１５つまりサッカー台１０の下流に接近して配置されていることから設置スペースを小さくできるものである。
【００８７】
また、前記袋掛け部材１７ａ、１７ｂは、登録装置２０の読取窓２５の前面を通過させる商品の通過高さと略同一になっていることから、商品を登録する際に読取窓２５の前面下方側を通過させ、その高さ位置から下方に開口している収納袋８１に商品を入れることができるため、商品の収納袋８１への収納操作を容易とするとともに操作者Ｔの腕などの疲労を低減させることができるものである。
【００８８】
また、袋掛け領域７０の下流側に設けたローラコンベアー装置６０の搬送手段３７を袋詰め台６０方向に向かって下方に傾斜するとともに、搬送手段３７の搬送面の上流側最上面を登録装置２０の読取窓２５の前面を通過させる商品の通過高さと略同一としたことから、登録および精算処理をする操作者Ｔと、商品の袋詰めをする作業者Ｗとで作業をする場合、操作者Ｔが登録商品のローラコンベアー装置３０の上流側搬送面に載置することが容易にできるものである。
【００８９】
なお、上記実施の形態においては、サッカー台１０を、分割した第一の台１１と第二の台１５とにより構成したが、これは一体として形成する構成としても良く、また、その長さ方向の寸法は任意に設定できるものである。
【００９０】
また、上記実施の形態においては、登録装置２０の下流側にローラコンベアー装置３０を配置する構成としたがこれは省略してもよく、このように省略したときはローラコンベアー装置３０を配置した第二の台１５つまりサッカー台１０の上面を袋詰め台とする構成としてもよいものである。
【００９１】
また、上記実施の形態においては、支持体２１の収納空間に光学的バーコード読取装置を収納する構成としたが、これは読取窓２５を含むバーコードを読み取る光学的部分を除いて支持体２１以外つまりサッカー台１０内に配置するようにしてもよいものである。
【００９２】
また、上記実施の形態においては、サッカー台１０の下流側に袋詰め台６０を設ける構成としたが、これは一人でチェックアウト処理をする形式とした場合は省略できるものであり、このように袋詰め台６０を省略した場合においても、操作者は袋掛け領域７０に設けた袋掛け部材７１ａ、７１ｂに掛けた収納袋８１に登録済商品を入れることができることから、顧客自身の袋詰作業をなくすことができサービスの向上が図れるとともに、操作者の登録処理操作および袋詰め作業を容易とすることができチェックアウト処理の効率向上を図ることができるものである。また、袋詰め台６０を必要としないことから設置スペースをさらに小さくでき店舗のスペースの有効活用を図ることができるものである。
【００９３】
また、上記実施の形態においては、コンベアー装置としてローラコンベアー装置３０を用いる構成としたが、これは例えばベルトコンベアーなど他のコンベアー装置を用いるようにしてもよいが、ローラコンベアー装置３０の場合は商品の加わる重力を利用して移動させることができることから簡単な構成とすることができるという利点がある。
【００９４】
【発明の効果】
上記のように請求項１記載の発明は、操作者が位置する側と対向する側に上方に突設して設けた支持体に光学的読取手段の少なくともその読取窓、キーボードおよび表示器を有する登録装置を設けるとともに、この登録装置の上流側に登録未済商品を載置する登録未済商品載置領域を設けたサッカー台と、前記サッカー台の前記未登録載置領域と並設して操作者側に配置して設けた精算装置とから構成され、顧客の買上げた商品の価格などの商品情報の登録および精算をする商品販売登録処理システムにおいて、前記サッカー台の前記登録装置の下流側近傍に収納用袋を開口して掛ける袋掛け部材を設けた袋掛け領域を設けるとともに、前記サッカー台の下流側に登録済商品を包装する袋詰め台を配置したことから、顧客の袋詰め作業をなくすことができるためサービスの向上が図れとともに、収納袋は登録装置の下流側近傍に開口して配置されているため、登録を行う操作者の、登録処理動作と袋詰め動作を連続した一連の動作の中できることから登録操作と袋詰め操作を容易とするとともに、登録操作と袋詰め操作の能率を向上させるという効果を有するものである。また、袋詰め台はサッカー台の下流に接近して配置されていることから設置スペースを小さくできるという効果を有するものである。
【００９５】
また、請求項２記載の発明は、請求項1 記載の発明において、袋掛け領域の少なくとも上部を覆う上面を平坦とした蓋体を設けたことから、請求項１記載の発明の効果に加えて、登録および精算処理をする操作者と商品の袋詰めをする作業者とで作業をする場合、前記袋掛け領域蓋体で覆うとともにこの蓋体の上面を商品の載置領域として機能することから、登録および精算処理した商品を置く領域を広くできる、登録処理作業および袋詰め作業を容易にできるという効果を有するものである。
【００９６】
また、請求項３記載の発明は、請求項１または請求項２記載の発明において、袋掛け部材を登録装置の読取窓の前面を通過させる商品の通過高さと略同一としたことから、請求項１または請求項２記載の発明の効果に加えて、商品を登録する際に読取窓の前面下方側を通過させ、その高さ位置から下方に開口している収納袋に商品を入れることができることから、商品の収納袋への収納操作を容易とするとともに操作者の腕などの疲労を低減させることができるという効果を有するものである。
【００９７】
また、請求項４記載の発明は、請求項１ないし請求項３記載の発明において、袋掛け領域の下流側に、袋詰め台方向に向かって下方に傾斜し、搬送面の上流側最上面を登録装置の読取窓の前面を通過させる商品の通過高さと略同一としたローラコンベアー装置を設けたことから、請求項１ないし請求項３記載の発明の効果に加えて、登録および精算処理をする操作者と、商品の袋詰めをする作業者とで作業をする場合、操作者の登録商品のローラコンベアー装置の上流側搬送面への載置を容易とすることができるという効果を有するものである。
【００９８】
また、請求項５記載の発明は、操作者が位置する側と対向する側に上方に突設して設けた支持体に光学的読取手段の少なくともその読取窓、キーボードおよび表示器を有する登録装置を設けるとともに、この登録装置の上流側に登録未済商品を載置する登録未済商品載置領域を設けたサッカー台と、前記サッカー台の前記未登録載置領域と並設して操作者側に配置して設けた精算装置とから構成され、顧客の買上げた商品の価格などの商品情報の登録および精算をする商品販売登録処理システムにおいて、前記サッカー台の前記登録装置の下流側近傍に収納袋を開口して掛ける袋掛け部材を設けたことから、顧客の袋詰め作業をなくすことができるためサービスの向上が図れるとともに、収納袋は登録装置の下流側近傍に開口して配置されているため、登録を行う操作者の、登録処理動作と袋詰め動作を連続した一連の動作の中できることから登録操作と袋詰め操作を容易とするとともに、登録操作と袋詰め操作の能率を向上させるという効果を有するものである。また、袋詰め台を必要としないことから設置スペースを小さくできるという効果を有するものである。
【図面の簡単な説明】
【図１】本発明の実施の形態の商品販売登録処理システムの全体の平面図。
【図２】上記商品販売登録処理システムの全体の側面図（操作者側からみた図）。
【図３】上記商品販売登録処理システムのサッカー台と袋詰め台の配置状態を示した斜視図（袋掛け領域を蓋体で覆った状態）。
【図４】上記商品販売登録処理システムのサッカー台と袋詰め台の配置状態を示した斜視図（袋掛け領域を開放した状態）。
【図５】上記蓋体の構成を示す図。
【図６】従来の商品販売登録処理システムの配置状態す斜視図。
【符号の説明】
１            登録システム（商品販売登録処理システム）
１０          サッカー台
１３          登録未済商品載置領域
２０          登録装置
２１          支持体
２２          キーボード
２３          表示器
２５          読取装置
３０          ローラコンベアー装置（コンベアー装置）
４０          電子レジスター（精算装置）
６０          袋詰め台
７０          袋掛け領域
７１ａ        袋掛け部材
７１ｂ        袋掛け部材
８１          収納袋
Ｔ            操作者
【図１】
0003912918.tif 000002
【図２】
0003912918.tif 000003
【図３】
0003912918.tif 000004
【図４】
0003912918.tif 000005
【図５】
0003912918.tif 000006
【図６】
0003912918.tif 000007